(57)【要約】【課題】  一対の挟持部で腸等の人体部位を挟み、扁平化した腸等の人体部位の管径等の長さや厚みから、最適な手術用縫合器等を、楽に且つ迅速に選定できるようにする。【解決手段】  人体部位１を挟み付けるための一対の挟持部２と、この挟持部２を枢着箇所３を介して開閉操作するための把持部４とを備える。上記の挟持部２に、この挟持部２で挟まれて扁平化する人体部位１の長さを読み取るための目盛５を付す。この場合、本発明は、把持部４の柄４ｂの内側の突き出し片６に、挟持部２で挟まれて扁平化する人体部位１の厚みを読み取るための目盛５を併せて付すのが好ましい。【選択図】      図１
2010029507.tif 000002
【特許請求の範囲】
【請求項１】
人体部位を挟み付けるための一対の挟持部と、この挟持部を枢着箇所を介して開閉操作するための把持部とを備えて形成されている鉗子であって、上記の挟持部に、この挟持部で挟まれて扁平化する人体部位の長さを読み取るための目盛が付されていることを特徴とする目盛付き鉗子。
【請求項２】
請求項１記載の鉗子であって、把持部の柄の内側の突き出し片に、挟持部で挟まれて扁平化する人体部位の厚みを読み取るための目盛が付されていることを特徴とする目盛付き鉗子。
【請求項３】
人体部位を挟み付けるための一対の挟持部と、この挟持部を枢着箇所を介して開閉操作するための把持部とを備えて形成されている鉗子であって、上記の把持部の柄の内側の突き出し片に、上記の挟持部で挟まれて扁平化する人体部位の厚みを読み取るための目盛が付されていることを特徴とする目盛付き鉗子。
【請求項４】
請求項１乃至３の何れかに記載の鉗子であって、目盛が、数値と、この数値と協働して数値の示す長さを間隔表示する印とで形成されていることを特徴とする目盛付き鉗子。
【発明の詳細な説明】
【技術分野】
【０００１】
本発明は鉗子に関し、更に詳しくは外科手術用の縫合器等の選定を、楽に且つ迅速にできるよう形成した目盛付き鉗子に関するものである。
【背景技術】
【０００２】
従来、この種の鉗子としては、例えば血管内に挿入する際に、先端からの距離が明確になるよう、開閉する鉗子部材に目盛を刻設しているものがある（例えば特許文献１参照）。
【０００３】
ところで、例えば同一臓器の異なる部位間や、また異なる臓器間をつないで通路を作る場合、従来は、医師が経験と勘を頼りに、その部位のサイズに合った縫合器等を選定して手術を行っているのが通例である。
従って従来、この種の手術の場合は、医師の熟練度によって手術時間や縫合の巧拙に差が生じるのを避けられなかった。
【特許文献１】特開２００２−２５３５５３号公報
【発明の開示】
【発明が解決しようとする課題】
【０００４】
本発明は、このような従来の実情に鑑み、提案されたものである。
従って本発明の解決しようとする技術的課題は、一対の挟持部で腸等の人体部位を挟み、扁平化した腸等の人体部位の管径等の長さや厚みから、最適な手術用縫合器等を、楽に且つ迅速に選定できるよう形成した目盛付き鉗子を提供することにある。
【課題を解決するための手段】
【０００５】
本発明は、上記の課題を解決するため、次のような技術的手段を採る。
即ち本発明は、図１等に示されるように、人体部位１を挟み付けるための一対の挟持部２と、この挟持部２を枢着箇所３を介して開閉操作するための把持部４とを備えて形成されている鉗子であって、上記の挟持部２に、この挟持部２で挟まれて扁平化する人体部位１の長さを読み取るための目盛５が付されていることを特徴とする（請求項１）。
【０００６】
この場合、本発明は、把持部４の柄４ｂの内側の突き出し片６に、挟持部２で挟まれて扁平化する人体部位１の厚みを読み取るための目盛５が付されているのが好ましい（請求項２）。
なぜならこれによると、扁平化した人体部位１の厚みも参考にして、最適な手術用具の選定を行なうことができるからである。
【０００７】
また本発明の課題を達成する他の構成としては、図１等に示されるように、人体部位１を挟み付けるための一対の挟持部２と、この挟持部２を枢着箇所３を介して開閉操作するための把持部４とを備えて形成されている鉗子であって、上記の把持部４の柄４ｂの内側の突き出し片６に、上記の挟持部２で挟まれて扁平化する人体部位１の厚みを読み取るための目盛５が付されていることを特徴とするものがある（請求項３）。
この本発明の場合は、組織の厚みから、吻合術、縫合術に使用する最適な器具を、容易に且つ迅速に選定できるものである。
【０００８】
而して本発明の場合、目盛５は、数値５ａと、この数値５ａと協働して数値５ａの示す長さを間隔表示する印５ｂとで形成されているのが良い（請求項４）。
なぜならこれによると、目盛５を一々読み取る場合に比べ、数値５ａから大よその長さや厚みを直ぐに知ることができ、その分、器具選定の手間暇を軽減できるからである。
【発明の効果】
【０００９】
本発明は、このように一対の挟持部に、この挟持部で挟まれて扁平化する人体部位の長さや厚みを読み取るための目盛が付されているものである。
従って本発明によれば、扁平化した人体部位の長さや厚みから、吻合術等に使用する最適な縫合器等を、楽に且つ迅速に選定できる。
【発明を実施するための最良の形態】
【００１０】
以下、本発明を実施するための最良の形態を説明する。
本発明の鉗子は、図１等に示されるように、人体部位１を挟み付けるための一対の挟持部２と、この挟持部２を枢着箇所３を介して開閉操作するための把持部４とで形成されている。把持部４は、手指を入れる指孔４ａを備えて形成されている。
【００１１】
そして本発明は、上記の挟持部２に、この挟持部２で挟まれて扁平化する、例えば管状の人体部位１の管径を読み取るための目盛５が付されている。目盛５は、この実施形態では挟持部２に、その長手方向にわたって５ｍｍ単位で付されている。
【００１２】
またこの実施形態の本発明は、把持部４の柄４ｂの内側の突き出し片６に、挟持部２で挟まれて扁平化する、例えば管状の人体部位１の厚みを読み取るための目盛５が付されている。この目盛５は、突き出し片６の長手方向にわたって、例えば０．５ｍｍ単位で付されている。
【００１３】
７は、他方側の柄４ｂの内側に、突き出し片６と擦接するよう、内方に突き出されている指示片である。この指示片７の先端部には、基準線８が付され、この基準線８は挟持部２が閉じられたとき、目盛５の「０」の位置に配置されるよう位置決めされている。なお、９は、柄４ｂの間に介装されているバネ部材である。
【００１４】
次に、この実施形態に係る本発明品の使用例を説明する。
先ず使用者は、把持部４を外側に押し拡げ、一対の挟持部２を開いてこの一対の挟持部２の間に、腸等の管状の人体部位１を配置する。次に使用者は、この状態で把持部４を閉じ、バネ部材９の復元力も利用して人体部位１を挟持部２で扁平状に挟み付け、挟持部２に付されている目盛５を利用して管径を読み取る。また突き出し片６の目盛５から、基準線８が指し示している所の値を読みとり、厚みを算出する。そして、これらの読み取り値を基にして、人体部位１の縫い合わせに最適な縫合器を選定する。
【００１５】
以上の処において、上例では、挟持部２と共に、突き出し片６にも目盛５が設けられ、人体部位１の管径等の長さと共に、厚みも測定可能に形成されているが、本発明は、その何れか一方だけが設けられているのでも良い。
また本発明の場合、鉗子の種類や構造は、上例のような腸鉗子には限られず、任意である。即ち、本発明は、例えば図２に示されるような、シャフトが長く形成されている、内視鏡下で使用する外科手術用のものでも、或いは図７に示されるように、内臓の深部用の鉗子等でも良い。
【００１６】
また突き出し片６は、図５、図６に示されるように、他方の柄４ｂの中に通され、この柄４ｂの内縁又は外縁が指す値を厚みとして読み取ることができるよう、形成されているのでも良い。４ｂ１は、突き出し片６を通すため他方の柄４ｂに貫通されている孔である。この本発明の場合は、上記の指示片７を省略できるから、突き出し片６と指示片７との摺接動作を一掃でき、その分、把持部４を円滑に開閉操作できる。またこの場合は、把持部４を大きく開いても、突き出し片６が他方の柄４ｂに通されている状態であれば、目盛５を読み取ることができる。従ってこれによると、指示片７による場合より、測定範囲が大きくなる、という利点がある。
【００１７】
また目盛５は、図９、図１０に示されるように、数値５ａと、この数値５ａと協働して数値５ａの示す長さを間隔表示する印５ｂとで形成されているのでも良い。この実施形態の場合、数値５ａは「３０」及び「２０」である。そして、この数値５ａが示す長さである、３０ｍｍ又は２０ｍｍに対応する間隔を表示する印５ｂは、一対の区画線５ｂ１と、数値５ａの両側に表示されている矢印線５ｂ２とで形成されている。
この実施形態の場合は、扁平化した人体部位１の大よその長さを、目盛５を基に迅速に読み取ることができる。従ってこれによれば、縫合器の選定を、その分、迅速化、容易化できる。
【００１８】
また、この実施形態の場合で、数値５ａを複数併記する場合は、図１１に示されるように、一方側の区画線５ｂ１を共通化し、１本の線で表示するのが良い。なぜならこの場合は、一方側の区画線５ｂ１に人体部位１の一方の縁１ａを合わせ、各数値５ａが示す間隔表示の印５ｂを適宜参考して管径等を読み取ることができ、その分、読み取り操作を楽に且つ迅速にできるからである。
【図面の簡単な説明】
【００１９】
【図１】本発明の鉗子の好適な一実施形態を示し、Ａは斜視図、Ｂは要部平面図である。
【図２】同上鉗子の他の実施形態を示す側面図である。
【図３】図２に係る本発明品の要部拡大斜視図である。
【図４】図２に係る本発明品の要部拡大側面図である。
【図５】図２に係る本発明品の要部拡大側面図である。
【図６】図５のＶＩ−ＶＩ線における要部拡大断面図である。
【図７】本発明の鉗子の他の実施形態を示す側面図である。
【図８】図７に係る本発明品の要部正面図である。
【図９】本発明の鉗子の更に他の実施形態を示し、Ａは側面図、Ｂは平面図である。
【図１０】図９に係る本発明品の要部平面図である。
【図１１】図９に係る本発明品の目盛の他の実施形態を示す要部平面図である。
【符号の説明】
【００２０】
１      人体部位
２      挟持部
３      枢着箇所
４      把持部
５      目盛
【図１】
2010029507.tif 000003
【図２】
2010029507.tif 000004
【図３】
2010029507.tif 000005
【図４】
2010029507.tif 000006
【図５】
2010029507.tif 000007
【図６】
2010029507.tif 000008
【図７】
2010029507.tif 000009
【図８】
2010029507.tif 000010
【図９】
2010029507.tif 000011
【図１０】
2010029507.tif 000012
【図１１】
2010029507.tif 000013